(57)【要約】【課題】プラズマディスプレイ装置において、コントラストを向上させるとともに、モアレを抑制し、かつ、装置の外部からの衝撃に対する機械的強度を維持する。【解決手段】プラズマディスプレイパネル１００の前面に前面パネル４０を間隔Ｄを持って配置する。プラズマディスプレイパネル１００に形成された走査電極、放電維持電極等と同じ方向に延在している光吸収部と光透過部とが一定ピッチで形成されたコントラスト向上フィルム５０をプラズマディスプレイパネル１００の前面基板１に貼り付ける。これによってコントラストを向上させつつ、モアレを所定のレベル以下に抑える。反射防止フィルム、色度調整フィルム、電磁輻射防止フィルム、近赤外線放射防止フィルム等は全て前面パネル４０に配置する。これによって、動作中における各光学フィルムの劣化を防止する。【選択図】図４
2010085634.tif 000002
【特許請求の範囲】
【請求項１】
走査電極が第１の方向に延在し、第２の方向に配列し、放電維持電極が第１の方向に延在し、前記走査電極と特定間隔を持って第２の方向に配列している前面基板と、アドレス電極が前記第２の方向に延在し、前記第１の方向に配列している背面基板を有するプラズマディスプレイパネルと、
前記プラズマディスプレイパネルの前記前面基板から特定間隔を隔てて前面パネルが配置されたプラズマディスプレイ装置であって、
前記プラズマディスプレイパネルの前記前面基板には、前記第１の方向に延在し、前記第２の方向に配列している光吸収部を有するブラックストライプフィルムが配置され、
前記前面パネルには、反射防止膜、色調調整フィルム、電磁輻射防止フィルム、近赤外線放射防止フィルムが形成されていることを特徴とするプラズマディスプレイ装置。
【請求項２】
前記ブラックストライプフィルムの前記光吸収部は、前記前面基板の側で幅が大きく、前記前面パネルの側で幅が小さいことを特徴とする請求項１に記載のプラズマディスプレイ装置。
【請求項３】
走査電極が第１の方向に延在し、第２の方向に配列し、放電維持電極が第１の方向に延在し、第２の方向に配列しており、前記走査電極と前記放電維持電極は等間隔Ｗで前記第２の方向に配列している前面基板と、アドレス電極が前記第２の方向に延在し、前記第１の方向に配列している背面基板を有するプラズマディスプレイパネルと、
前記プラズマディスプレイパネルの前記前面基板から特定間隔を隔てて前面パネルが配置されたプラズマディスプレイ装置であって、
前記プラズマディスプレイパネルの前記前面基板には、前記第１の方向に延在し、前記第２の方向にピッチＰを持って配列している光吸収部を有するブラックストライプフィルムが配置され、
前記走査電極と前記放電維持電極の間隔Ｗと前記ブラックストライプフィルムの前記光吸収部のピッチＰとの間には、Ｎを整数とした場合、Ｗ／Ｐ＝Ｎの関係があり、
前記前面パネルには、反射防止膜、色調調整フィルム、電磁輻射防止フィルム、近赤外線放射防止フィルムが形成されていることを特徴とするプラズマディスプレイ装置。
【請求項４】
前記ブラックストライプフィルムの前記光吸収部は、前記前面基板の側で幅が大きく、前記前面パネルの側で幅が小さいことを特徴とする請求項３に記載のプラズマディスプレイ装置。
【請求項５】
前記ブラックストライプの前記光吸収部は、前記前面基板に形成された前記走査電極および前記放電維持電極に対応する場所に形成されていることを特徴とする請求項３に記載のプラズマディスプレイ装置。
【請求項６】
前記Ｎは１であることを特徴とする請求項３に記載のプラズマディスプレイ装置。
【請求項７】
走査電極が第１の方向に延在し、第２の方向に配列し、放電維持電極が第１の方向に延在し、前記走査電極と特定間隔を持って第２の方向に配列している前面基板と、アドレス電極が前記第２の方向に延在し、前記第１の方向に配列している背面基板を有するプラズマディスプレイパネルと、
前記プラズマディスプレイパネルの前記前面基板から特定間隔を隔てて前面パネルが配置されたプラズマディスプレイ装置であって、
前記プラズマディスプレイパネルの前記前面基板には、前記第１の方向に延在し、前記第２の方向に配列している光吸収部を有するブラックストライプフィルムが配置され、前記光吸収部は導電性を有しており、前記光吸収部は互いに導通しており、
前記前面パネルには、反射防止膜、色調調整フィルム、近赤外線放射防止フィルムが形成されていることを特徴とするプラズマディスプレイ装置。
【請求項８】
走査電極が第１の方向に延在し、第２の方向に配列し、放電維持電極が第１の方向に延在し、前記走査電極と特定間隔を持って第２の方向に配列している前面基板と、アドレス電極が前記第２の方向に延在し、前記第１の方向に配列している背面基板を有するプラズマディスプレイパネルと、
前記プラズマディスプレイパネルの前記前面基板から特定間隔を隔てて前面パネルが配置されたプラズマディスプレイ装置であって、
前記プラズマディスプレイパネルの前記前面基板には、前記第１の方向に延在し、前記第２の方向に配列している光吸収部を有するブラックストライプフィルムと、電磁輻射防止フィルムが配置され、
前記前面パネルには、反射防止膜、色調調整フィルム、近赤外線放射防止フィルムが形成されていることを特徴とするプラズマディスプレイ装置。
【発明の詳細な説明】
【技術分野】
【０００１】
本発明は表示装置に係り、特にコントラストを向上したプラズマディスプレイ装置に関する。
【背景技術】
【０００２】
プラズマディスプレイパネル（ＰＤＰ）を用いたプラズマディスプレイ装置は、薄型で特に大画面の表示が可能なディスプレイとして需要が拡大している。プラズマディスプレイ装置は、プラズマディスプレイパネル、プラズマディスプレイパネルの前面に配置された前面パネル、プラズマディスプレイパネルの背面に配置された駆動回路、およびこれらを収容するフレーム等から構成されている。
【０００３】
前面パネルは、一般には、反射防止膜、電磁波の放出防止膜、画像の色調を調整するための色フィルタ等の層を有しており、基板としては、ガラスあるいはＰＥＴ等の樹脂で形成される。プラズマディスプレイパネルは走査電極、放電維持電極等が形成された前面基板と、アドレス電極等が形成された背面基板とが重ねあわされて構成されている。
【０００４】
前面パネルはプラズマディスプレイ装置の画質、製造コスト等に対して重要な影響を有しているので、種々の技術が提案されている。「特許文献１」には、前面パネルのコストを低減するために、前面パネルには極力機能を付加せずに、例えば、外部からの衝撃に対する保護の役割としてのガラス板のみを使用する場合、あるいは、電磁波の放射防止膜のみを形成した構成が開示されている。
【０００５】
「特許文献２」には、画像のコントラストを向上させるために、前面パネルのプラズマディスプレイパネル側に島状の可視光吸収パターンをマトリクス状に配置する構成が記載されている。同時に、島状の可視光吸収パターンの裏側、すなわち、プラズマディスプレイパネル側に反射層を設けて、島状の可視光吸収パターンにプラズマディスプレイパネルから入射する光を反射し、多重反射
の後、外部に光を取り出すことによってコントラストと明るさを向上させる構成が記載されている。
【０００６】
「特許文献３」には、前面パネルの基材となるＰＥＴフィルムに反射防止フィルム、電磁波シールドフィルム、赤外線カットフィルム等を粘着材によって貼り付けるが、粘着材中に薄片状の黒色の光吸収体を粘着材の面に対して直角方向に分散させることによってコントラストを向上させる構成が記載されている。
【０００７】
「特許文献４」には、外光の写りこみを防止して、コントラストを向上させるために、光吸収部と光透過部を交互に配置することで、画像の観察側から見たときに水平方向に延びる黒色の光吸収部をストライプ状に形成した、いわゆるブラックストライプフィルムを前面パネルに貼り付ける構成が記載されている。また「特許文献４」にはかかるブラックストライプフィルムをプラズマディスプレイパネルに貼り付けても良い旨が記載されている。
【０００８】
【特許文献１】特開２００３−８４６７７号公報
【特許文献２】特開２００６−３０８４４号公報
【特許文献３】特開２００８−１２２７３７号公報
【特許文献４】特開２００８−９６６８６号公報
【発明の開示】
【発明が解決しようとする課題】
【０００９】
図１５はプラズマディスプレイ装置の概略分解斜視図である。図１５において、プラズマディスプレイパネル１００の前面に５ｍｍ〜１０ｍｍの間隔を隔てて前面パネル４０が配置されている。プラズマディスプレイパネルの裏側には駆動回路等を載置するシャーシ２００、駆動回路ブロック３００等が配置され、これらをバックカバー４００によって覆っている。
【００１０】
プラズマディスプレイ装置は、液晶表示装置等に比較してディスプレイ装置自体のコントラストは優れているが、外光の写りこみによるコントラストの低下が問題となる。このコントラストの低下を防止する技術として、上述のブラックストライプフィルムを前面パネルに配置する構成が知られている。以下、このブラックストライプフィルムを、コントラストを向上させるためのフィルムとして、ＣＲＦ（コントラスト向上フィルム、Ｃｏｎｔａｒａｓｔ  Ｒｅｆｉｎｅ  Ｆｉｌｍ  または  Ｃｏｎｔａｒａｓｔ  Ｒｉｓｉｎｇ  Ｆｉｌｍ）と呼ぶ場合もある。ＣＲＦはディスプレイ装置の上下斜め前方からの光をさえぎるので、特に、ディスプレイ装置を店頭に並べたような場合のコントラストの向上に効果があるという特徴を有する。
【００１１】
図１６は前面パネル４０にＣＲＦを始め、反射防止フィルム、色調フィルム、電磁輻射防止フィルム、近赤外線吸収フィルム（以後ＮＩＲフィルム）等を配置し、プラズマディスプレイパネルにはこれらの、光学フィルムを形成しない例である。ところで、ＣＲＦは光吸収部と光透過部とが交互に配置されている。一方、プラズマディスプレイパネル１００の前面基板１にはバス電極が画面水平方向に周期的に配置されている。そうすると、前面パネル４０とプラズマディスプレイパネル１００との間にモアレを発生する。
【００１２】
図１７は、前面パネル４０を使用せず、ＣＲＦを始め、反射防止フィルム、色調フィルム、電磁輻射防止フィルム、近赤外線吸収フィルム（以後ＮＩＲフィルム）等の光学フィルム５００を全てプラズマディスプレイパネル１００に配置した例である。
図１７のような構成では、例えば、温度の影響を受け易い色調フィルムがプラズマディスプレイパネル１００で発生する熱によって変質してしまうという問題がある。さらに深刻な問題は、前面パネル４０がないことによりプラズマディスプレイ装置が外部からの機械的な衝撃によって破壊され易いということである。
【００１３】
本発明の目的は、ＣＲＦを使用してコントラストの向上を図るとともに、モアレを軽減し、かつ、プラズマディスプレイ装置の外部からの機械的衝撃に対する耐力を維持することである。
【課題を解決するための手段】
【００１４】
本発明は以上のような課題を解決するものであり、具体的な手段は次のとおりである。
【００１５】
（１）走査電極が第１の方向に延在し、第２の方向に配列し、放電維持電極が第１の方向に延在し、前記走査電極と特定間隔を持って第２の方向に配列している前面基板と、アドレス電極が前記第２の方向に延在し、前記第１の方向に配列している背面基板を有するプラズマディスプレイパネルと、前記プラズマディスプレイパネルの前記前面基板から特定間隔を隔てて前面パネルが配置されたプラズマディスプレイ装置であって、前記プラズマディスプレイパネルの前記前面基板には、前記第１の方向に延在し、前記第２の方向に配列している光吸収部を有するブラックストライプフィルム（ＣＲＦ）が配置され、前記前面パネルには、反射防止膜、色調調整フィルム、電磁輻射防止フィルム、近赤外線放射防止フィルムが形成されていることを特徴とするプラズマディスプレイ装置。
【００１６】
（２）前記ブラックストライプフィルムの前記光吸収部は、前記前面基板の側で幅が大きく、前記前面パネルの側で幅が小さいことを特徴とする（１）に記載のプラズマディスプレイ装置。
【００１７】
（３）走査電極が第１の方向に延在し、第２の方向に配列し、放電維持電極が第１の方向に延在し、第２の方向に配列しており、前記走査電極と前記放電維持電極は等間隔Ｗで前記第２の方向に配列している前面基板と、アドレス電極が前記第２の方向に延在し、前記第１の方向に配列している背面基板を有するプラズマディスプレイパネルと、前記プラズマディスプレイパネルの前記前面基板から特定間隔を隔てて前面パネルが配置されたプラズマディスプレイ装置であって、前記プラズマディスプレイパネルの前記前面基板には、前記第１の方向に延在し、前記第２の方向にピッチＰを持って配列している光吸収部を有するコントラスト向上フィルムが配置され、前記走査電極と前記放電維持電極の間隔Ｗと前記ブラックストライプフィルムの前記光吸収部のピッチＰとの間には、Ｎを整数とした場合、Ｗ／Ｐ＝Ｎの関係があり、前記前面パネルには、反射防止膜、色調調整フィルム、電磁輻射防止フィルム、近赤外線放射防止フィルムが形成されていることを特徴とするプラズマディスプレイ装置。
【００１８】
（４）前記ブラックストライプフィルムの前記光吸収部は、前記前面基板の側で幅が大きく、前記前面パネルの側で幅が小さいことを特徴とする（３）に記載のプラズマディスプレイ装置。
【００１９】
（５）前記ブラックストライプフィルムの前記光吸収部は、前記前面基板に形成された前記走査電極および前記放電維持電極に対応する場所に形成されていることを特徴とする（３）に記載のプラズマディスプレイ装置。
【００２０】
（６）前記Ｎは１であることを特徴とする（３）に記載のプラズマディスプレイ装置。
【００２１】
（７）走査電極が第１の方向に延在し、第２の方向に配列し、放電維持電極が第１の方向に延在し、前記走査電極と特定間隔を持って第２の方向に配列している前面基板と、アドレス電極が前記第２の方向に延在し、前記第１の方向に配列している背面基板を有するプラズマディスプレイパネルと、前記プラズマディスプレイパネルの前記前面基板から特定間隔を隔てて前面パネルが配置されたプラズマディスプレイ装置であって、前記プラズマディスプレイパネルの前記前面基板には、前記第１の方向に延在し、前記第２の方向に配列している光吸収部を有するブラックストライプフィルムが配置され、前記光吸収部は導電性を有しており、前記光吸収部は互いに導通しており、前記前面パネルには、反射防止膜、色調調整フィルム、近赤外線放射防止フィルムが形成されていることを特徴とするプラズマディスプレイ装置。
【００２２】
（８）走査電極が第１の方向に延在し、第２の方向に配列し、放電維持電極が第１の方向に延在し、前記走査電極と特定間隔を持って第２の方向に配列している前面基板と、アドレス電極が前記第２の方向に延在し、前記第１の方向に配列している背面基板を有するプラズマディスプレイパネルと、前記プラズマディスプレイパネルの前記前面基板から特定間隔を隔てて前面パネルが配置されたプラズマディスプレイ装置であって、前記プラズマディスプレイパネルの前記前面基板には、前記第１の方向に延在し、前記第２の方向に配列している光吸収部を有するブラックストライプフィルムと、電磁輻射防止フィルムが配置され、前記前面パネルには、反射防止膜、色調調整フィルム、近赤外線放射防止フィルムが形成されていることを特徴とするプラズマディスプレイ装置。
【発明の効果】
【００２３】
コントラスト向上フィルムをプラズマディスプレイパネルの前面基板に配置することによって、画像のコントラストを向上させ、かつ、モアレの程度を軽減することが出来る。また、他の光学フィルム層をプラズマディスプレイパネルとは離間した前面パネルに配置することによって光学フィルムがプラズマディスプレイパネルで発生する熱によって変質することを防止し、信頼性を向上させることが出来る。
【発明を実施するための最良の形態】
【００２４】
本発明の具体的な実施例を説明する前に、本発明が適用されるプラズマディスプレイパネル１００の構造を説明する。図１は、プラズマディスプレイパネル１００の表示領域の分解斜視図である。プラズマディスプレイパネル１００は，前面基板１と背面基板２の２枚のガラス基板から構成されている。前面基板１には、画像形成のための放電を生じさせる走査電極２０と放電維持電極１０が平行に配置されている。
【００２５】
走査電極２０は、さらに実際に放電電極となるＩＴＯ（Ｉｎｄｉｕｍ  Ｔｉｎ  Ｏｘｉｄｅ）によって形成された走査放電電極２１と、端子部から電圧を供給する走査バス電極２２から構成される。走査電極２０をＹ電極ともと呼ぶ。また、走査バス電極２２をＹバス電極とも呼ぶ。
【００２６】
放電維持電極１０は、さらに実際に放電電極となるＩＴＯ（Ｉｎｄｉｕｍ  Ｔｉｎ  Ｏｘｉｄｅ）によって形成された放電維持放電電極１１と、端子部から電圧を供給する放電維持バス電極１２から構成される。放電維持電極１０はＸ電極とも呼ぶ。また、放電維持バス電極１２をＸバス電極とも呼ぶ。
【００２７】
Ｘバス電極１２、Ｙバス電極２２はいずれも金属の積層構造となっており、前面基板１の側からクロム、銅、クロムの積層構造となっている。前面基板１上に形成されたクロムは、ガラスとの接着性が優れており、かつ、クロムの表面が黒いので、コントラストの向上のための効果を有する。銅はバス電極の抵抗を小さくするために使用される。銅の上をさらにクロムが被覆しているが、このクロムは、銅の表面が酸化されて抵抗が変化することを防止するためである。
【００２８】
前面ガラス上のクロムはさらに、酸化クロムとクロムの積層構造となる場合もある。酸化クロムは黒色で、反射率がクロムよりも小さいので、画像のコントラストをさらに向上させることが出来る。酸化クロムもガラスとの接着性は優れている。また、銅との接触面はクロムなので、銅が酸化されることも無い。
【００２９】
図１においては、放電電極は透明導電膜であるＩＴＯを使用し、バス電極には抵抗の小さい金属積層膜を使用している。透明導電膜を使用すると、蛍光体８からの発光を外部により多く取り出すことが出来るからである。一方、放電電極をバス電極と同じ金属によって形成する場合もある。この場合は、プロセスが一回で済み、製造コストの大幅な低減になる。
【００３０】
Ｘ電極およびＹ電極を覆うように誘電体層５が形成される。誘電体層５には軟化点が５００℃程度の低融点ガラスが使用される。その上に保護膜６が形成される。保護膜６としては，酸化マグネシウム（ＭｇＯ）が主に使用され，スパッタ法または蒸着法によって形成される。
【００３１】
背面基板２には，アドレス電極３０が，走査電極２０あるいは放電維持電極１０と直交して形成される。アドレス電極３０の構造も走査電極２０あるいは放電維持電極１０と同様の構造であり、クロム、銅、クロムの積層構造となっている。アドレス電極３０の上を誘電体層５が被覆している。一般的には背面基板２に形成された誘電体層５も前面基板１に形成された誘電体層５と同じ材料が使用される。
【００３２】
背面基板２の誘電体層５の上には、隔壁７がアドレス電極３０を挟むように、アドレス電極３０と同じ方向に延在させて形成されている。隔壁７の内側には蛍光体８が塗布されている。蛍光体８は、赤、緑、青の蛍光体８が図１の隔壁７によって形成された凹部に並列して塗布されている。
【００３３】
前面基板１と背面基板２及び隔壁７に囲まれた空間が放電ガスを封入する放電空間となっている。一対のバス配線と隔壁７の間がひとつの表示セル（サブピクセル）に対応し，カラー表示の場合、３つのサブピクセルがおのおの３原色（Ｒ，Ｂ，Ｇ）に対応してひとつの画素（ピクセル）を形成する。
【００３４】
プラズマディスプレイパネル１００の発光の原理は以下のようになっている。まず，発光させたいセルに対応するアドレス電極３０と，同じく当該セルに対応する走査電極２０との間に１００-２００Ｖ程度の電圧（放電開始電圧）をかける。アドレス電極３０とバス電極は直交しているため，その交点にある単独のセルを選択することができる。選択されたセルでは電圧をかけた放電電極（この場合はＹ電極）と，アドレス電極３０の間で微弱放電が発生し，前面基板１側の誘電体層５の上の保護膜６上に電荷（壁電荷）が蓄積される。このようにして、表示領域の全セルに電荷による書き込みを行う。この期間は書き込み期間であり、画像は形成されない。
【００３５】
続いて、サステイン期間において、Ｘ電極とＹ電極との間に高周波パルスを印加して維持放電を行う。このとき、壁電荷が蓄積されているセルのみでサステイン放電が発生する。このサステイン放電によって紫外線が発生し、この紫外線によって蛍光体８が発光する。蛍光体８から放射された可視光は前面基板１から放出され、人間が視認する。書き込み期間に電荷が蓄積されたセルのみで蛍光体８が発光するので、画像が形成されることになる。
【００３６】
図２はプラズマディスプレイパネルの電極配置を示す平面図である。図２において、表示領域１１０内には、走査電極２０であるＹ電極が横方向に延在し、一定ピッチで縦方向に配列している。また、放電維持電極１０であるＸ電極が横方向に延在し、一定ピッチで縦方向に配列している。Ｙ電極用の端子は表示領域１１０の左側に配置され、Ｘ電極用の端子は表示領域１１０の右側に配置されている。Ｘ電極およびＹ電極は前面基板１に形成されている。
【００３７】
図２において、アドレス電極３０であるＡ電極が表示領域１１０の縦方向に延在し、横方向に一定ピッチで配列している。アドレス電極３０は背面基板２に形成されている。アドレス電極３０用の端子は表示領域１１０の上下に形成される場合が多い。アドレス電極３０のピッチは走査電極２０あるいは放電維持電極１０のピッチに比較してはるかに小さいからである。前面基板１に形成された走査電極２０、放電維持電極１０、のペアをアドレス電極３０との交点が１サブピクセルを形成している。
【００３８】
図３は表示領域１１０の画素構造を示す平面図である。図３において、走査電極２０であるＹ電極、と放電維持電極１０であるＸ電極と背面基板２に形成された隔壁７によって囲まれた部分が１サブピクセルである。隔壁７の断面は図１に示すように台形であるが、図３では隔壁７の上部のみ記載している。各サブピクセルには赤、緑、青の異なる蛍光体８が形成されている。赤サブピクセル、緑サブピクセル、青サブピクセルによって１ピクセルが形成される。
【００３９】
図３において、サブピクセルの縦径ＨＰは例えば６５０μｍ、横径ＷＰは例えば１３０μｍである。また、走査電極２０、放電維持電極１０の幅は２４０μｍ、隔壁７の幅は６０μｍである。したがって、サブピクセルのピッチは、縦方向が７８０μｍ、横方向が３００μｍと成る。１ピクセルでみると、縦方向が７８０μｍであるのに対し、横方向は９００μｍとなるので、やや横長形状となっている。
【実施例１】
【００４０】
図４は本発明の第１の実施例を示す模式図である。図４は本発明のプラズマディスプレイ装置において、プラズマディスプレイパネル１００と前面パネル４０のみを取り出した図である。図４において、前面基板１と背面基板２によって形成されたプラズマディスプレイパネル１００に、ブラックストライプフィルムとしてのコントラスト向上フィルム（ＣＲＦ）５０が貼り付けられている。このＣＲＦ５０は、上述のように、垂直方向にプラズマディスプレイパネル１００からの光を透過するための水平方向に延びて形成された光透過部と、外部からの光（外光）を吸収するための水平方向に延びて形成された黒色の光吸収層が交互に配列されており、画像観察側から見ると、水平方向に延びる黒色の光吸収層がストライプ上に形成されている。プラズマディスプレイパネル１００から間隔Ｄをおいて前面パネル４０が配置されている。プラズマディスプレイパネル１００と前面パネル４０との間隔Ｄは５ｍｍ〜１０ｍｍである。
【００４１】
図４に示す本実施例の特徴は、ＣＲＦ５０のみプラズマディスプレイパネル１００に配置し、他の光学フィルムは全て前面パネル４０に配置している点である。本実施例においては、前面パネル４０を使用しているので、プラズマディスプレイ装置の機械的衝撃に対する耐力は確保されている。例えば、前面パネル４０が存在していない場合の衝撃加重強度は１Ｊであるのに対し、前面パネル４０が存在している場合の衝撃加重強度は７Ｊである。
【００４２】
また、本実施例においてはＣＲＦ５０を除く光学フィルムは全て前面パネル４０に配置されている。光学フィルムには、例えば、色調フィルムのように、熱に弱いようなものが存在する。プラズマディスプレイパネル１００は動作中高温となるが、光学フィルムは、プラズマディスプレイパネル１００とは離間した前面パネル４０に形成されているので、熱による劣化を防止することができる。
【００４３】
図５はプラズマディスプレイパネル１００に貼り付けられるＣＲＦ５０の斜視図である。図５において、ＣＲＦ５０は、出射側基材５４と入射側基材５３との間に光吸収部５１と光透過部５２とが交互に形成されている。光吸収部５１は入射側基材５３側において幅が広く、出射側基材５４側で幅が小さい。光吸収部５１の断面が複雑な形状をしているのは、モアレが発生した場合にモアレの強さを軽減するためである。光吸収部５１の断面は単純な楔型でも良い。
【００４４】
ＣＲＦ５０は次のようにして形成される。すなわち、まず、出射側基材５４に紫外線硬化樹脂を塗布し光透過部５２を形成する。この光透過部５２に対してローラによって光吸収部５１の断面に相当する切込みを形成し、その後、紫外線を照射して硬化し、切り込み部の形状を確定させ、この切り込み部に黒色顔料等による光吸収部５１を形成する。その後、光吸収部５１等の保護を兼ねて入射側基材５３を貼り付ける。
【００４５】
図６は本実施例において、プラズマディスプレイパネル１００にＣＲＦ５０が貼り付けられた状態を示す断面図である。図６では、プラズマディスプレイパネル１００のうちの前面基板１のみ記載され、前面基板１にＣＲＦ５０が直接貼り付けられた状態を示している。図６のＣＲＦ５０では、入射側基材５３と出射側時基材５４基材は省略されている。
【００４６】
図６において、ＣＲＦ５０の光吸収部５１のピッチＰ１は６５μｍであり、高さＨ１は１２０μｍである。また、光吸収部５１の底部の幅Ｂは２１μｍである。なお、光吸収部５１の底部の幅が光透過部５２の幅に比較して大きいが、光吸収部５１の底部は厚さが小さいので、厚さが小さい部分は光がある程度透過するので、プラズマディスプレイパネル１００の輝度が大幅に低下するということは無い。
【００４７】
図６において、前面基板１の内側に走査電極２０と放電維持電極１０が記載されている。走査電極２０と放電維持電極１０を覆って誘電体層５が形成され、誘電体層５を覆って保護膜６が形成されてり。走査電極２０と放電維持電極１０は互いに等間隔で配置されている。図３に示すように、走査電極２０と放電維持電極１０のピッチは７８０μｍである。このピッチはＣＲＦ５０の光吸収部５１のピッチの１２倍にあたる。また、走査電極２０および放電維持電極１０の幅は１３０μｍであるが、これはＣＲＦ５０の光吸収部５１のピッチの２倍にあたる。
【００４８】
この場合は、ＣＲＦ５０による明暗と走査電極２０および放電維持電極１０による明暗が重なったようなモアレを生ずることになる。しかし、この場合のモアレのビートの周期は走査電極２０および放電維持電極１０のピッチに等しいので、ＣＲＦ５０が無い場合の通常の明暗のピッチと等く、モアレは生じてもほとんど目立たないことになる。
【００４９】
ただし、この場合は、プラズマディスプレイパネル１００の前面基板１に形成される走査電極２０および放電維持電極１０の幅とピッチ、および、ＣＲＦ５０に形成された光吸収部５１のピッチを正確にコントロールした上で、前面基板１とＣＲＦ５０の貼り合わせを正確に行う必要がある。
【００５０】
なお、以上の説明では、走査電極２０と放電維持電極１０は互いに等間隔に配置しているものとしている。例えば、図２において、走査電極Ｙ１と放電維持電極Ｘ１の間隔、放電維持電極Ｘ１と走査電極Ｙ２との間隔、走査電極Ｙ２と放電維持電極Ｘ２との間隔等は各々等しい。
【００５１】
このように、ＣＲＦ５０とプラズマディスプレイパネル１００の前面基板１に形成された走査電極２０および放電維持電極１０の幅とピッチを正確にコントロールすることによってＣＲＦ５０を使用した場合のモアレを抑制することが出来る。しかし、このような制御はプラズマディスプレイパネル１００にＣＲＦ５０を直接貼り付けるから可能となるものである。
【００５２】
一方、ＣＲＦ５０を前面パネル４０に形成する場合は、プラズマディスプレイパネル１００とＣＲＦ５０の合わせ誤差を考慮する必要がある。プラズマディスプレイパネル１００とＣＲＦ５０との合わせ誤差は数百ミクロン程度存在する。そうすると、ＣＲＦ５０に形成する光吸収部５１のピッチ、および、プラズマディスプレイパネル１００の前面基板１に形成する走査電極２０および放電維持電極１０の幅とピッチを正確にコントロールしても、モアレの強度を常に一定の範囲に収めることは困難となる。
【００５３】
図７は電気器具の販売店において、天井からの光がプラズマディスプレイ装置６００に対して入射する場合を示している。このような配置は電気器具の販売店においては、極一般的な配置である。このような場合は、一般には天井からの光の映りこみの影響によって黒が浮いてくるためにコントラストが劣化する。ここで、黒が浮いてくるとは、画面の黒輝度が大きくなることを意味している。画面の黒輝度を小さく抑えられれば、コントラストの劣化は抑えられることになる。
【００５４】
図８は図６等に記載したＣＲＦ５０を使用した場合に、黒輝度が抑えられる様子を示すグラフである。図８において、横軸は、図７に示すように、プラズマディスプレイパネル１００の法線方向に対する光源の角度である。図８の縦軸は、黒輝度である。図８は光源の方向を１５度から７５度まで変化させた場合に黒輝度がどのように変化するかを示すものである。
【００５５】
図８に示すように、外光角度が大きいほど黒輝度が小さく抑えられ、コントラストの劣化が抑えられることがわかる。すなわち、ＣＲＦ５０の光吸収部５１は庇状に形成されているために、外光角度が高いほど、外光がプラズマディスプレイパネル１００の画面に直接入射する量が減るからである。
【００５６】
販売店、および一般家庭において、プラズマディスプレイを見る場合は、光源は天井に存在しているので、ＣＲＦ５０のコントラスト向上への効果は実質的には非常に大きいといえる。図８はＣＲＦ５０の光吸収部５１の断面が図６のような場合についてであるが、光吸収部５１が単純な楔型のような場合でも同様な傾向である。
【００５７】
以上のように、本実施例においては、ＣＲＦ５０のみを直接プラズマディスプレイパネル１００に配置し、他の光学フィルムは前面パネル４０に配置する。図９は本実施例において、前面パネル４０に形成される光学フィルムの例である。図９において、プラズマディスプレイパネル１００と反対側のフィルタガラス４２には色調フィルムを兼ねた反射防止フィルム４１が貼り付けられている。
【００５８】
プラズマディスプレイパネル１００においては、内部に、Ｎｅに対して例えば、Ｘｅが８％程度混入したガスが封止され、このガスを放電させることによって紫外線を発生し、この紫外線によって蛍光体８を光らせ画像を形成する。しかし、Ｎｅが放電することによって、オレンジ色の光が発生し、これが、蛍光体８からの光に混入して外部に放出される。このＮｅの放電によるオレンジ色の光は画質を劣化させるので、カットする必要がある。色調フィルムは主にこの役割を有する。このような色調フィルムは有機樹脂に色素を混入させて形成される。したがって、色調フィルムは熱を加えることによって変質する場合がある。これを防止するために、本発明においては、色調フィルムはプラズマディスプレイパネル１００に配置せずに、前面パネル４０に配置している。
【００５９】
ディスプレイにおいて、外光が反射すると画像が見にくくなる。したがって、画面の表面に反射防止膜を形成する。反射防止膜は色々な方法で形成することが出来る。例えば、表面を粗面化することによっても反射防止効果を得ることが出来る。しかし、最も効果のある方法は、屈折率の大きい物質と小さい物質を交互に積層する構成である。また、基材が屈折率が大きいような場合は、基材よりも屈折率の小さい物質をコーティングすることによっても反射防止効果を得ることが出来る。本実施例では、反射防止膜として、色調フィルムに屈折率の大きい物質と小さい物質を積層した構成としている。
【００６０】
図９において、フィルタガラス４２のプラズマディスプレイパネル１００側は、プラズマディスプレイパネル１００から発生する高周波が外部に放出されないように、銀薄膜４３がスパッタリングによって形成されている。プラズマディスプレイパネル１００においては、放電を持続させるために、走査電極２０と放電維持電極１０との間に高周波の電圧が印加されている。したがって、高周波の電磁波が発生するが、この電磁波が外部に放出されると種々の問題を引き起こす。これに対して、銀薄膜４３をアースすることによってプラズマディスプレイパネル１００で発生する電磁波が外部に放出されることを防止することが出来る。
【００６１】
図９において、銀薄膜４３は薄膜であるので、機械的に弱いために、銀薄膜４３を覆って保護フィルム４４が貼り付けられている。この保護フィルム４４は、プラズマディスプレイパネル１００内で発生する近赤外線をカットする役割を持たせる場合もある。
【００６２】
図１０は本実施例において、前面パネル４０に形成される光学フィルムの他の例である。図１０において、プラズマディスプレイパネル１００と反対側のフィルタガラス４２には色調フィルムを兼ねた反射防止フィルム４１が貼り付けられていることは図９と同じである。
【００６３】
図１０において、プラズマディスプレイパネル１００側のフィルタガラス４２にはメッシュフィルム４５が配置されている。メッシュ４５１は図９における銀薄膜４３と同様に、電磁波がプラズマディスプレイ装置より外部に放出されることを防止する役割を有する。メッシュ４５１は銅で形成されるので、高価な銀を使用しなくとも良い。
【００６４】
図１１はメッシュ４５１の形状を示す模式図である。図１１において、メッシュ４５１は銅によって形成されているが、メッシュ４５１の方向はプラズマディスプレイパネル１００の画面に対して４５度の方向に延在している。このようにメッシュ４５１の角度を傾けることによってプラズマディスプレイパネル１００における、走査電極２０、放電維持電極１０、アドレス電極３０等との干渉によるモアレを防止している。図１１において、メッシュ４５１のピッチＭＰは例えば３００μｍ、メッシュ４５１の線幅ＭＷは例えば１０μｍである。この程度のメッシュ４５１幅であれば、外部から視認することは出来ない。
【００６５】
図１０において、メッシュフィルム４５の上にはＮＩＲフィルム４６（近赤外線防止フィルム）が積層されている。プラズマディスプレイパネル１００は内部が高温となり、近赤外線が発生する。一方、近赤外線はプラズマディスプレイ装置のリモコンによる制御等に利用されている。プラズマディスプレイパネル１００から近赤外線が放出されると、近赤外線を利用した機器が誤動作をする原因となるので、ＮＩＲフィルム４６によって近赤外線をカットしている。
【００６６】
以上説明したように、本実施例によれば、ＣＲＦ５０のみをプラズマディスプレイパネル１００に配置し、他の光学フィルムあるいは光学機能を前面パネル４０に配置したので、コントラストを高く維持できるとともに、モアレを抑制することが出来る。さらに、光学フィルム等の劣化を防止できるとともに、プラズマディスプレイ装置の機械的衝撃に対する耐力を維持することができる。
【実施例２】
【００６７】
図１２は本発明の第２の実施例を示す断面図である。図１２は、プラズマディスプレイパネル１００の前面基板１にＣＲＦ５０が貼り付けられている状態を示す断面図である。図１２において、ＣＲＦ５０の出射側基材５４と入射側基材５３は省略されている。本実施例が実施例１と大きく異なる点はＣＲＦ５０光吸収部５１のピッチが実施例１の場合に比較してはるかに大きく、プラズマディスプレイパネル１００の前面基板１に形成された走査電極２０と放電維持電極１０間のピッチと一致していることである。
【００６８】
本実施例の特徴は、ＣＲＦ５０の光吸収部５１が走査電極２０と放電維持電極１０間のピッチと一致しているために、モアレが全く発生しない点である。すなわち、ＣＲＦ５０の光吸収部５１は走査電極２０または放電維持電極１０の上にあるので、透過率に対しては全く影響を与えない。
【００６９】
一方、ＣＲＦ５０の光吸収部５１がまばらにしか形成されていないので、コントラストの向上効果は実施例１の場合に比して小さい。しかし、コントラスト向上効果が完全でなくとも、一定の効果があれば、モアレを低減するという効果との兼ね合いで特定の用途に使用することができる。
【００７０】
本実施例においては、ＣＲＦ５０の光吸収部５１のピッチが大きいので、個々の光吸収部５１の大きさを大きくすることが可能である。例えば、図１２において、光吸収部５１の高さＨ２を実施例１の２倍の２４０μｍ程度とすることは容易である。また、光吸収部５１の根元の幅Ｂの大きさも、走査電極２０等の幅以内で大きくとることが可能である。
【００７１】
本実施例においても、ＣＲＦ５０の光吸収部５１はプラズマディスプレイパネル１００の前面基板１における走査電極２０および放電維持電極１０と一致させる必要があるので、ＣＲＦ５０をプラズマディスプレイパネル１００の前面基板１上に直接貼り付けることによって可能となる。
【００７２】
以上の本実施例においては、ＣＲＦ５０の光吸収部５１のピッチはプラズマディスプレイパネル１００の走査電極２０と放電維持電極１０間のピッチと一致しているとして説明した。しかし、本実施例はこれに限ることなく、例えば、ＣＲＦ５０の光吸収部５１のピッチがプラズマディスプレイパネル１００の走査電極２０と放電維持電極１０間のピッチの１／２あるいは、１／３等の整数分の１であっても効果が得られる。
【００７３】
このような場合は、ＣＲＦ５０によるコントラスト向上の効果は、先に説明したＣＲＦ５０の光吸収部５１のピッチがプラズマディスプレイパネル１００の走査電極２０と放電維持電極１０間のピッチと一致している場合と比較して大きく改善される。一方、モアレは若干生ずることになるが、モアレの強度は小さく抑えることが出来る。
【００７４】
このように、ＣＲＦ５０の光吸収部５１のピッチをプラズマディスプレイパネル１００の走査電極２０と放電維持電極１０間のピッチの１／２あるいは、１／３等の整数分の１とする場合も、ＣＲＦ５０をプラズマディスプレイパネル１００に直接貼り付けることによって、モアレの制御が可能になる。
【００７５】
なお、以上の説明では、走査電極２０と放電維持電極１０は互いに等間隔に配置しているものとしている。例えば、図２において、走査電極Ｙ１と放電維持電極Ｘ１の間隔、放電維持電極Ｘ１と走査電極Ｙ２との間隔、走査電極Ｙ２と放電維持電極Ｘ２との間隔等は各々等しい。
【００７６】
以上の説明では、ＣＲＦ５０の光吸収部５１のピッチは、プラズマディスプレイパネル１００の走査電極２０と放電維持電極１０間のピッチの整数分の１として説明した。モアレの制御にはこのような関係が最も良いと考えられるが、場合によっては、ピッチ間にこのような関係を持たせられない場合もありうる。このような場合も、ＣＲＦ５０をプラズマディスプレイパネル１００に直接貼り付けることによって、ＣＲＦ５０とプラズマディスプレイパネル１００の位置関係を正確に制御することによってモアレを一定水準以下に維持することが出来る。
【実施例３】
【００７７】
図１３は本発明の第３の実施例を示す断面図である。図１３はプラズマディスプレイパネル１００の前面基板１と間隔Ｄを隔てて前面パネル４０が配置されていることを示す断面図である。図１３において、プラズマディスプレイパネル１００と前面パネル４０との間隔Ｄは５ｍｍ〜１０ｍｍである。
【００７８】
図１３において、プラズマディスプレイパネル１００に直接貼り付けられているＣＲＦ５０の形状は図６に示す実施例１と同様である。本実施例が実施例１と異なる点は、ＣＲＦ５０の光吸収部５１を導電性の物質で形成していることである。図１３においては、光吸収部５１は互いに離間しているが、図１４に示すように、ＣＲＦ５０の両側脇に例えば、ＣＲＦバス電極５５を形成することによって、ＣＲＦ５０の全ての光吸収部５１に対して例えばアース電位等の基準電位を与えることができる。
【００７９】
図１４は本実施例におけるＣＲＦ５０を示す平面図である。図１４において、光吸収部５１が横方向に延在し、縦方向に配列している。光吸収部５１の縦方向ピッチは６５μｍ程度で非常に小さいが、図１４はわかり易くするために模式的に記載している。光吸収部５１の両サイドにおいて、ＣＲＦバス電極５５が形成され、金属等の導電部材で形成された光吸収部５１を接続している。したがって、ＣＲＦ５０は全面が同電位となる。
【００８０】
図１３におけるプラズマディスプレイパネル１００側のその他の構成は図６で説明したのと同様である。前面パネル４０のプラズマディスプレイパネル１００と反対側のフィルタガラス４２には色調フィルムを兼ねた反射防止フィルム４１が貼り付けられていることは図１０と同じである。
【００８１】
図１３において、前面パネル４０のプラズマディスプレイパネル１００にはＮＩＲフィルム４６が貼り付けられているが、電磁輻射防止のためにメッシュフィルム４５は配置されていない。本実施例においては、電磁輻射はＣＲＦ５０に形成された導電性の光吸収部５１によって防止されるからである。
【００８２】
以上のように、本実施例では、プラズマディスプレイパネル１００には、ＣＲＦ５０のみを貼り付けるが、ＣＲＦ５０に電磁輻射防止効果を持たせているので、前面パネル４０から電磁輻射を防止する導電膜を省略することが出来、その分、前面パネル４０のコストを低減することが出来る。
【００８３】
また、本実施例においても、実施例１等と同様に、ＣＲＦ５０をプラズマディスプレイパネル１００に貼り付けることによってコントラストを向上させるとともに、モアレの影響を小さくすることが出来る。
【００８４】
上記実施例においては、プラズマディスプレイパネル１００にＣＲＦ５０のみを貼り付け、他のシートやフィルムを前面パネル４０に設ける例について説明したが、プラズマディスプレイパネル１００にＣＲＦ５０とメッシュフィルム４５とを貼り付け、他の他のシートやフィルムを前面パネル４０に設けてもよい。上述のように、メッシュフィルム４５のメッシュ４５１は光を透過しない材質であるため、当該メッシュフィルム４５には所定周期の明暗パターンが形成される。よって、メッシュフィルム４５は、プラズマディスプレイパネル１００（の走査電極及び放電維持電極等）と光学的な干渉を引き起こしてモアレを生じさせる。しかしながら、メッシュフィルム４５をＣＲＦ５０とともにプラズマディスプレイパネル１００に貼り付ければ、メッシュフィルム４５をプラズマディスプレイパネル１００に近接させることができるため、実施例１で詳述したようにメッシュフィルム４５と、プラズマディスプレイパネル１００の各電極との光学的干渉を低減させ、モアレを目立たなくすることができる。このとき、プラズマディスプレイパネル１００の各種電極との光学的干渉はＣＲＦ５０の方が大きいため、ＣＲＦ５０をプラズマディスプレイパネル１００により近接させるように、プラズマディスプレイパネル１００の面から前面パネル４０側に向けて、ＣＲＦ５０、メッシュフィルム４５の順に積層することが好ましい。プラズマディスプレイパネル１００への貼り付けの容易性や、電磁波の吸収性の向上を考慮して、上記積層の順序を逆にしてもよい。
【図面の簡単な説明】
【００８５】
【図１】プラズマディスプレイパネルの表示領域の断面斜視図である。
【図２】プラズマディスプレイパネルの平面図である。
【図３】プラズマディスプレイパネルの画素部の平面図である。
【図４】本発明におけるＣＲＦの配置を示す断面模式図である。
【図５】ＣＲＦの斜視図である。
【図６】実施例１のプラズマディスプレイパネルの断面図である。
【図７】プラズマディスプレイパネルと外光の関係を示す模式図である。
【図８】ＣＲＦの効果を示すグラフである。
【図９】本発明で使用する前面パネルの例である。
【図１０】本発明で使用する前面パネルの他の例である。
【図１１】メッシュの構造を示す平面図である。
【図１２】実施例２のプラズマディスプレイパネルの断面図である。
【図１３】実施例３のプラズマディスプレイパネルの断面図である。
【図１４】実施例３のＣＲＦの平面模式図である。
【図１５】プラズマディスプレイ装置の分解斜視図である。
【図１６】プラズマディスプレイパネルと前面パネルの配置例である。
【図１７】プラズマディスプレイパネルに光学フィルム層を形成した例である。
【符号の説明】
【００８６】
１・・・前面基板、  ２・・・背面基板、  ５・・・誘電体層、  ６・・・保護膜、  ７・・・隔壁、  ８・・・蛍光体、  １０・・・走査電極、  １１・・・走査放電電極、  １２・・・走査バス電極、  ２０・・・放電維持電極、  ２１・・・放電維持放電電極、  ２２・・・放電維持バス電極、  ３０・・・アドレス電極、  ４０・・・前面パネル、  ４１・・・反射防止フィルム、  ４２・・・フィルタガラス、  ４３・・・銀薄膜、  ４４・・・保護フィルム、  ４５・・・メッシュフィルム、  ４６・・・ＮＩＲフィルム、  ５０・・・ＣＲＦ、  ５１・・・光吸収部、  ５２・・・光透過部、  ５３・・・入射側基材、  ５４・・・出射側基材、  ５５・・・バス電極、  １００・・・プラズマディスプレイパネル、  １１０・・・表示領域、  ２００・・・シャーシ部材、  ３００・・・回路ブロック、  ４００・・・バックカバー、  ５００・・・光学フィルム層、  ６００・・・プラズマディスプレイ装置。
【図１】
2010085634.tif 000003
【図２】
2010085634.tif 000004
【図３】
2010085634.tif 000005
【図４】
2010085634.tif 000006
【図５】
2010085634.tif 000007
【図６】
2010085634.tif 000008
【図７】
2010085634.tif 000009
【図８】
2010085634.tif 000010
【図９】
2010085634.tif 000011
【図１０】
2010085634.tif 000012
【図１１】
2010085634.tif 000013
【図１２】
2010085634.tif 000014
【図１３】
2010085634.tif 000015
【図１４】
2010085634.tif 000016
【図１５】
2010085634.tif 000017
【図１６】
2010085634.tif 000018
【図１７】
2010085634.tif 000019